(57)【特許請求の範囲】
【請求項１】
広告を表示することができるディスプレイ部と、前記ディスプレイ部をオフ状態からオン状態に変更するための活性化ボタンとを含む使用者端末に設置可能な広告提供アプリケーションであって、
前記広告提供アプリケーションは、
広告提供サーバーから前記広告を受信する段階と、
前記活性化ボタンが押されることにより、前記ディスプレイ部がオフ状態からオン状態に変更される時、前記ディスプレイ部に前記広告を含んだ画面を提供する段階と、
前記広告を含んだ画面が表示されている状態で、使用者から前記広告に対する広告コンテンツ要請信号を受信すると、前記広告に関連する物品の購買のためのウェブページを提供する段階と、
前記物品の購買のためのウェブページは、前記広告提供サーバーから提供されるウェブページであること、および、
前記広告を含んだ画面は、前記使用者端末のロック解除のための入力部を含んでおり、前記ロック解除のための入力を受信した場合、前記広告を含んだ画面の提供を中止する段階、とを使用者端末に実行させるための広告提供アプリケーション。
【請求項２】
前記広告提供アプリケーションは、使用者からカテゴリ選択情報の入力を受けられる画面を提供し、前記カテゴリ選択情報を前記広告提供サーバーに送信する、請求項１に記載の広告提供アプリケーション。
【請求項３】
前記広告提供サーバーから受信する前記広告は、前記カテゴリ選択情報に基づいて選択された前記広告である、請求項２に記載の広告提供アプリケーション。
【請求項４】
前記広告提供アプリケーションは、使用者が前記活性化ボタンを押した時刻に対する情報を前記広告提供サーバーに送信し、
前記広告提供サーバーから受信する前記広告は、前記活性化ボタンが押された時刻に対する情報に基づいて選択された前記広告である、請求項１乃至３の何れか一項に記載の広告提供アプリケーション。
【請求項５】
前記広告提供アプリケーションは、前記広告提供サーバーから特定時刻によるイベント情報を受信し、
使用者が前記活性化ボタンを押した時刻が、前記イベント情報から提供された特定時刻に含まれると、イベントに対応する特定広告画面を表示する、請求項４に記載の広告提供アプリケーション。
【請求項６】
前記活性化ボタンが押されることで前記ディスプレイ部がオフ状態からオン状態に変更する時、前記ディスプレイ部に前記広告を含んだ画面を提供すると、前記使用者端末に第１リワードを提供する、請求項１乃至５の何れか一項に記載の広告提供アプリケーション。
【請求項７】
前記広告コンテンツ要請信号を受信すると、前記使用者端末に第２リワードを提供する、請求項６に記載の広告提供アプリケーション。
【請求項８】
前記第２リワードは、第１リワードよりも大きい金額である、請求項７に記載の広告提供アプリケーション。
【請求項９】
前記物品の購買のためのウェブページは、前記物品の購買のために前記第１リワードまたは前記第２リワードを使用することができるようにする、請求項７または８に記載の広告提供アプリケーション。
【請求項１０】
請求項１乃至９の何れか一項に記載の広告提供アプリケーションを搭載する、使用者端末。
【発明の詳細な説明】
【技術分野】
【０００１】
本発明は、広告提供アプリケーションおよび使用者端末に関するもので、より詳しくは使用者端末に活性化要請信号が入力されると使用者端末に広告を提供する広告提供アプリケーションおよび使用者端末に関するものである。
【背景技術】
【０００２】
スマート端末の普及率の増加とともに、スマート端末は現代人の生活必須品となりつつある。スマート端末を利用して通話をするだけでなく、各種情報の検索や、音楽及び動画像のようなコンテンツメディアの鑑賞、友人等との対話、物品の代金の決済など、生活の多くの領域においてスマート端末を活用している。
【０００３】
このように、生活の多くの領域においてスマート端末を活用するようになるにつれて、使用者はスマート端末を携帯し、移動の際または待機の際に習慣的に自分の端末を取り出して端末機のディスプレイ部を起動させる操作を行ったりもする。しかしながら、このような起動操作により活性化された端末のディスプレイ部には、単に使用者が指定しておいたイメージと時間情報だけが表示されるだけで、特別な機能が実行されたり特別な情報が提供されたりはしない。
【０００４】
殆どのスマート端末において提供する各種機能を実行させるためには、たとえば、特許文献１に開示されているように、端末機が活性化された状態、即ち、ディスプレイ部がオンの状態で何らかの操作を加えなければならないため、端末機を活性化させる操作は端末の機能実行のための必須操作である。
【０００５】
また、スマート端末の普及が増加するにつれ、このようなスマート端末を活用した広告の種類と方法も増加しており、自ずと使用者の広告への接触頻度が高まっている。
【０００６】
特に、スマート端末のアプリケーションによる広告提供方法が多大な人気を集めているが、一般にアプリケーションによる広告提供方法は、スマート端末に広告提供のためのアプリケーションを設置し、設置されたアプリケーションを駆動して使用者に広告を提供する。
【０００７】
このような広告提供アプリケーションの場合、必ず該当アプリケーションを実行し、広告を流すための別途の動作を行わなければならず、広告視聴の間はスマート端末による他の作業はできない。
【先行技術文献】
【特許文献】
【０００８】
【特許文献１】特開２０１１−２０３３９１号公報
【発明の概要】
【発明が解決しようとする課題】
【０００９】
本発明は、上記従来の問題点を解決するためのもので、使用者が端末のディスプレイ部の活性化ボタンを押す動作だけで使用者端末に広告を提供する、広告提供アプリケーションおよび使用者端末を提供しようとするものである。
【００１０】
本発明の目的は、時刻情報によって異なる広告を使用者端末に提供し、時間、分単位のマーケッティングができる広告提供アプリケーションおよび使用者端末を提供することである。
【００１１】
本発明の他の目的は、使用者端末に広告が提供される際使用者に積み立てられるリワードを、使用者の友人等と共有することができる広告提供アプリケーションおよび使用者端末を提供して、使用者の友人等との連帯感を増大させることにある。
【課題を解決するための手段】
【００１２】
広告を表示することができるディスプレイ部と、前記ディスプレイ部をオフ状態からオン状態に変更するための活性化ボタンとを含む使用者端末に設置可能な広告提供アプリケーションであって、前記広告提供アプリケーションは、広告提供サーバーから広告を受信し、前記活性化ボタンが押されることにより、前記ディスプレイ部がオフ状態からオン状態に変更される時、前記ディスプレイ部に前記広告を含んだ画面を提供し、前記広告を含んだ画面が表示されている状態で、使用者から前記広告に対する広告コンテンツ要請信号を受信すると、前記広告に関連する物品の購買のためのウェブページを提供し、前記物品の購買のためのウェブページは、前記広告提供サーバーから提供されるウェブページであり、前記広告を含んだ画面は、前記使用者端末のロック解除のための入力部を含んでおり、前記ロック解除のための入力を受信した場合、前記広告を含んだ画面の提供を中止する、広告提供アプリケーション。
【発明の効果】
【００１３】
本発明の一実施例によれば、使用者はアプリケーションを別途に実行しなくても、活性化ボタンを押すという簡単な操作により広告を視聴することができる。
【００１４】
本発明の一実施例によれば、使用者は分単位の時刻情報によって変化する広告の提供を受けることができる。
【００１５】
また、本発明の一実施例によれば、使用者は使用者の選択情報によって使用者に最適化された広告の提供を受けることができ、興味のない広告を視聴しなくて済むので、使用者の時間を節約できる。
【００１６】
また、本発明の一実施例によれば、使用者は提供されたリワードを友人等にプレゼントしたり寄付したりすることによって、友人等との連帯感を増加させることができる。
【００１７】
本発明の効果は、前記の効果に限定されるものではなく、本発明の詳細な説明または特許請求の範囲に記載された発明の構成から推論できる全ての効果を含むものと理解されるべきである。
【図面の簡単な説明】
【００１８】
【図１】本発明の一実施例に係る広告提供アプリケーションを実行させる広告提供システムの構成を概略的に示した図面である。
【図２】本発明の一実施例に係る広告提供アプリケーションを実行させる広告提供サーバーの構成を示した図面である。
【図３】本発明の他の実施例に係る広告提供方法の流れを示したフローチャートである。
【図４】本発明の他の実施例に係る広告提供方法によって使用者端末に広告が提供される状態を示した例示図である。
【発明を実施するための形態】
【００１９】
以下、添付した図面を参照して本発明を説明する。しかしながら、本発明は様々な異なる形態で具現することができ、従って、ここで説明する実施例に限定されるものではない。そして、図において本発明を明確に説明するために、説明と関係のない部分は省略し、明細書全体を通して類似する部分に対しては類似の符号を付した。
【００２０】
明細書の全体において、ある部分が他の部分と「連結」されているとするとき、これは「直接的に連結」されている場合だけでなく、その中間に他の部材を挟んで「間接的に連結」されている場合も含む。また、ある部分がある構成要素を「含む」とするとき、これは特に反対の記載がない限り他の構成要素を除外するものではなく、他の構成要素をさらに有することができることを意味する。
【００２１】
以下、添付図面を参照して本発明の実施例を詳細に説明する。
【００２２】
図１を参照して、本発明の一実施例に係る広告提供アプリケーションを実行させる広告提供システムについて説明する。図１は本発明の一実施例に係る広告提供アプリケーションを実行させる広告提供システムの構成を概略的に示した図面である。
【００２３】
本発明の一実施例に係る広告提供アプリケーションを実行させる広告提供システムは、使用者端末１００及び広告提供サーバー２００を含むことができる。
【００２４】
使用者端末１００は、広告提供サーバー２００とネットワークにより連結され、使用者端末１００に設置された広告提供アプリケーションにより広告提供サーバー２００から各種広告の提供を受けることができる。なお、広告提供アプリケーションは使用者端末１００にインストールできるように提供される。
【００２５】
使用者端末１００は、ネットワークによりアプリケーションを提供した広告提供サーバー、移動通信社のサーバーなどの外部の対象と通信を行うことができる。ネットワークは無線通信網であってもよく、ＷｉＦｉ（登録商標：Ｗｉｒｅｌｅｓｓ  ｆｉｄｅｌｉｔｙ）、３Ｇ、Ｗｉｂｒｏ（登録商標：Ｗｉｒｅｌｅｓｓ  Ｂｒｏａｄｂａｎｄ）などの移動通信方式に基づいてもよい。
【００２６】
本発明の一実施例によれば、使用者端末１００はスマートフォン、タブレットパーソナルコンピュータ、ＰＤＡなど、ネットワークにより外部サーバーとの通信ができるスマートディバイスで有り得る。
【００２７】
使用者端末１００は、広告提供サーバー２００で提供する広告の提供を受けるために、広告提供アプリケーションを設置することができる。広告提供アプリケーションは広告提供サーバー２００から提供することができる。
【００２８】
使用者は、広告提供アプリケーションが設置された使用者端末１００に活性化要請信号を入力することによって、他の追加の要請手続きなしに広告提供サーバー２００から受信される広告の提供を受けることができる。
【００２９】
本明細書における活性化要請信号とは、使用者端末１００が活性化状態となるように要請する信号であり、より具体的には使用者端末１００のディスプレイ部をオフ状態からオン状態に変更するよう要請する信号を意味する。「活性化状態」とは、端末機のディスプレイ画面がオン（ｏｎ）の状態であることを意味し、オン状態であるディスプレイ画面にいかなる情報がディスプレイされるかは問わない。例えば、単にロック画面のみがディスプレイされる場合であっても、端末機の「活性状態」と言える。
【００３０】
本発明の実施例によれば、広告提供サーバー２００は使用者端末１００から活性化要請信号が受信されると、使用者端末１００の活性化されたディスプレイ部に広告提供サーバー２００に格納されていた広告を抽出して伝送することができる。また、広告提供サーバー２００から予め伝送されて仮格納され、活性化要請信号が受信されると仮格納された広告がディスプレイ部に出力され得る。このとき、活性化されたディスプレイ部に提供される広告は、広告しようとするブランドの特定イメージの広告及び広告しようとする災害の動画広告など、様々な種類の広告を含むことができる。また、広告として提供される画面は緊急通報用電話の入力部を含み得る。従って、緊急時には即刻緊急通報、例えば、消防署、警察署などに連絡を取ることもできる。
【００３１】
使用者端末１００に伝送される広告は、予め使用者端末１００が広告提供サーバー２００から使用者端末１００に設置したアプリケーションを通して選択したカテゴリ選択情報によって、使用者の趣向または感情状態などが反映されて提供され得る。
【００３２】
広告提供サーバー２００が使用者端末１００のディスプレイ部にオプションで広告を提供するとき、使用者端末１００から広告と関連した広告コンテンツ提供要請を受信するようになれば、該当広告と関連した広告コンテンツを使用者端末１００に提供することができる。
【００３３】
広告コンテンツ提供要請とは、使用者端末１００に提供される広告に対するクリック信号及び広告が提供されている使用者端末１００に対するロック解除要請信号中のいずれか１つで有り得る。
【００３４】
本明細書において、広告コンテンツは、活性化要請信号によって使用者端末１００に提供された広告と関連した多様なコンテンツであり、広告する物品に対する詳細情報、広告するブランドのプロモーション情報、広告するブランドのウェブページ、広告する物品の購買のためのウェブページなどを含むことができ、広告と関連して生成された内容物であれば如何なるものにも制限されない。
【００３５】
前述の通り、使用者端末１００に提供される広告を使用者がクリックしたり、または広告が提供されている使用者端末１００にロック解除要請信号を入力したりすることによって、使用者端末１００に広告と関連付けされた広告コンテンツが提供され得る。
【００３６】
広告コンテンツ提供の要請がロック解除要請信号によりなされた場合には、使用者端末１００はロックが解除され、ロック解除された使用者端末１００の画面に広告コンテンツが提供され得るが、一実施例によればロック解除された画面は使用者端末１００の待機状態の画面で有り得る。
【００３７】
使用者端末１００に提供される広告及び広告コンテンツは、前述の通り、使用者端末１００から予め受信したカテゴリ選択情報によって異なり得るが、使用者端末１００が活性化要請信号を感知した瞬間の時刻情報によっても変更され得る。
【００３８】
例えば、使用者端末１００に活性化要請信号が入力された瞬間の時刻が、１１時１１分の場合、「ペペロデイ」と関連した広告及び広告コンテンツを、８時１５分の場合、「独島守護」と関連したキャンペーン広告及び広告コンテンツを提供してもよい。
【００３９】
また、広告提供サーバー２００が使用者端末１００に予め公知した時刻に、活性化要請信号が使用者端末１００から受信される場合、各種の特典などを使用者に提供することも可能である。
【００４０】
このように、使用者端末１００に提供される広告及び広告コンテンツを決定する活性化要請信号入力時刻に対する情報は、予め広告提供サーバー２００で設定するか、該当広告及び広告コンテンツを作成した広告主が設定することができる。このとき、該当時刻に提供される広告及び広告コンテンツは時刻情報に相応するように保存してもよい。
【００４１】
使用者端末１００に提供された広告について使用者が広告に対する興味を持ち、広告コンテンツ要請信号を広告提供サーバー２００に伝送した場合、広告提供サーバー２００は使用者にポイントのような形態のリワードを積み立てすることができる。もちろん、活性化要請信号の入力により広告の提供だけを受けた使用者端末１００に対してもリワードの積み立てが可能である。
【００４２】
使用者は、使用者端末１００の連絡先リストに含まれている友人の連絡先のうち、一定数の連絡先を選択し、選択された連絡先に該当する友人等の端末に使用者端末１００別に積み立てされたリワード中の一部を伝送して共有することができる。また、使用者の連絡先リストに含まれている友人ではない、慈善団体などをリワード共有対象に選択する場合、使用者に積み立てされたリワードを寄付するのに使用することもできる。
【００４３】
このように本発明の実施例によれば、使用者端末１００に入力された活性化要請信号によって広告を提供することになるが、活性化要請信号が入力された時刻情報、使用者のカテゴリ選択情報などによって差別化された広告を提供することができ、広告の効果が増大し得る。
【００４４】
以下、図２を参照して本発明の一実施例に係る広告提供アプリケーションを実行させる広告提供サーバーの構成について検討する。図２は、本発明の一実施例に係る広告提供アプリケーションを実行させる広告提供サーバーの構成を示した図面である。
【００４５】
本発明の一実施例に係る広告提供サーバー２００は、第１受信部２１０、広告提供部２２０、第２受信部２３０、広告コンテンツ提供部２４０、リワード提供部２５０、リワード共有部２６０及び第３受信部２７０を含むことができる。
【００４６】
第１受信部２１０は使用者端末１００から活性化要請信号を受信する。活性化要請信号は、使用者端末１００のディスプレイ部をオン状態に変更するように要請する信号であり、使用者端末１００に活性化要請信号が入力されると、使用者端末１００は活性化要請信号を広告提供サーバー２００の第１受信部２１０に伝送することができる。
【００４７】
活性化要請信号によって、使用者端末１００のディスプレイ部はオフ状態からオン状態に変更され、活性化要請信号を受信した広告提供サーバー２００に含まれた広告提供部２２０は使用者端末１００の活性化されたディスプレイ部に広告を提供することができる。
【００４８】
一実施例によれば、第１受信部２１０は活性化要請信号とともに活性化要請信号が使用者端末１００に入力された時刻情報を受信することができる。
【００４９】
使用者端末１００は、使用者端末１００に活性化要請信号が入力される瞬間の時刻情報を生成して、生成された時刻情報を活性化要請信号とともに第１受信部２１０に伝送することができる。本明細書において、時刻情報とは、活性化要請信号が使用者端末１００に入力される瞬間の時刻を示した情報のことを意味する。
【００５０】
このように、第１受信部２１０が活性化要請信号とともに時刻情報を受信すると、広告提供部２２０は使用者端末１００に時刻情報に相応する広告を提供することができる。また、後述する広告コンテンツ提供部２４０から使用者端末１００に広告コンテンツを提供するとき、時刻情報による広告コンテンツを使用者端末１００に提供することができる。
【００５１】
時刻情報に相応する広告及び広告コンテンツとは、特定の時刻情報が受信された場合、広告提供サーバー２００から使用者端末１００に提供するように設定されている広告及び広告コンテンツを意味するものであり、広告提供サーバー２００で設定した時刻に、該当時刻に使用者端末１００に提供されるように設定した広告または広告コンテンツを提供することもでき、広告提供サーバー２００に接続した広告主の端末が設定した時刻に提供するように設定した広告または広告コンテンツを使用者端末１００に提供することもできる。
【００５２】
このように第１受信部２１０で受信した時刻情報によって使用者端末１００に提供される広告と広告コンテンツが変更され得る。
【００５３】
例えば、第１受信部２１０が８時１５分という時刻情報を活性化要請信号とともに受信した場合、広告提供部２２０及び広告コンテンツ提供部２４０は「光復節」と関連したプロモーション情報、例えば「独島守護プロジェクト」のようなプロモーション情報を提供するブランドの広告または広告コンテンツを使用者端末１００に提供することができる。また、活性化要請信号とともに受信された時刻情報が「１１時１１分」の場合、棒状の菓子に対する広告または広告コンテンツが使用者端末１００に提供されることも有り得る。
【００５４】
第２受信部２３０は、広告が提供されている使用者端末１００から広告と関連した広告コンテンツを提供するように要請する広告コンテンツ要請信号を受信するが、広告コンテンツ要請信号は使用者端末１００に提供される広告に対するクリック信号及び使用者端末１００に対するロック解除要請信号中のいずれか１つで有り得る。広告コンテンツ提供部２４０は第２受信部２３０が広告コンテンツ要請信号を受信すると、広告と関連した広告コンテンツを使用者端末１００に伝送することができる。
【００５５】
広告と関連したコンテンツである広告コンテンツは、広告と関連した物品またはブランドと関連して作成された内容物であり、広告する物品に対する詳細情報、広告するブランドのプロモーション情報、広告するブランドのウェブページ、広告する物品の購買のためのウェブページを含むことができる。
【００５６】
第２受信部２３０で受信した広告コンテンツ要請信号が広告に対するクリック信号の場合、広告コンテンツ提供部２４０は広告が提供されるディスプレイ部に広告コンテンツを提供することができ、ロック解除要請信号の場合使用者端末１００をロック解除し、ロックが解除された使用者端末の待機画面に広告コンテンツを提供することもできる。
【００５７】
広告コンテンツ提供部２４０から使用者端末１００に提供する広告コンテンツは、前述の通り、時刻情報によって変更し得る。
【００５８】
一実施例によれば、広告提供サーバー２００が予め、特定時刻に活性化要請信号が受信される場合特別イベントが発生するという予告情報を使用者端末１００に提供し、実際に予告情報により使用者端末１００に知らせた特定時刻に活性化要請信号が使用者端末１００から受信されるのであれば、使用者端末１００に特定時刻情報による広告及び広告コンテンツを提供し、該当使用者端末１００にポイント及び割引クーポンなどのような特典を提供することもできる。
【００５９】
例えば、広告提供サーバー２００が使用者端末１００にプッシュ通知などの形態で「１月２７日１時１５分あなたを新しい世界に導きます」というメッセージを伝送して使用者等の期待感を高調させ、実際に使用者端末１００から１月２７日１時１５分に活性化要請信号が受信されると、使用者端末１００に特定物品に対する広告及び割引情報を提供するか、特定ブランドのイメージ広告を提供し、該当広告の提供を受けた使用者端末１００の数、つまり、１月２７日１時１５分に活性化要請信号が広告提供サーバー２００に受信された個数に応じて、特定ブランドの広告主が寄付先に寄付をするなどのプロモーションのように、多様な形態で分単位の時刻情報によるマーケッティングが可能である。
【００６０】
第１受信部２１０及び第２受信部２３０で受信した活性化要請信号及び広告コンテンツ要請信号について、リワード提供部２５０は使用者端末１００に対するリワードを積み立てできる。このとき、活性化要請信号によって積み立てられる第１リワードの金額と広告コンテンツ要請信号によって積み立てられる第２リワードの金額は相違し得る。一実施例によれば、第２リワード金額が第１リワード金額より大きいことも有り得る。
【００６１】
使用者端末１００に対して積み立てされたリワードは広告提供サーバー２００で提供するオンラインショッピングモールまたは提携先などで現金同様に使用でき得る。また、使用者端末１００に対して積み立てされたリワードを使用者が指定した友人等にプレゼントしたり特定の寄付先に寄付したりすることもできる。リワードの種類は現金に限らず、カードポイント、ゲームポイントなどが含まれ得る。例えば、カード会社が提供するアプリケーションによりカード会社の広告をディスプレイ部に表示することができ、これに対するリワードとしてカードポイントを提供してカード会社と提携している提携社で使用することもできる。
【００６２】
リワード共有部２６０は、使用者端末に対して積み立てされたリワードを、使用者端末１００で指定した連絡先に該当する端末に伝送して、積み立てされたリワードを共有することができる。
【００６３】
使用者が使用者端末１００の連絡先から自分のリワードを共有しようとする友人等の連絡先を選択して指定すると、使用者により指定された友人の連絡先に該当する端末に該当リワードが伝送され得る。このとき、使用者がリワードを共有できる友人の数は広告提供サーバー２００で一定の人数に制限をおくことができ、使用者が広告提供サーバー２００で決めた一定の数以上の友人等とリワードを共有しようとする場合、使用者は友人等とリワードを共有するためのチケットを自分に積み立てされたリワードまたは現金を使用して購買することができる。
【００６４】
使用者端末１００は、連絡先に含まれた友人ではなく、広告提供サーバー２００で提供する寄付先（後援社）リストのうちのいずれか１つを指定する簡便なプロセスにより、リワードを特定の寄付先に寄付することもできる。
【００６５】
第３受信部２７０は、使用者端末１００に提供された複数のカテゴリリストに含まれたカテゴリ中の１つ以上のカテゴリに対応するカテゴリ情報を使用者端末１００から受信することができるが、使用者端末１００から受信されたカテゴリ選択情報は、後で使用者端末１００に提供される広告及び広告コンテンツの種類を決めるときに使用され得る。
【００６６】
一実施例によれば、広告及び広告コンテンツは複数のカテゴリ別に分類され広告提供サーバー２００に貯蔵され得る。
【００６７】
複数のカテゴリリストは、広告及び広告コンテンツを提供する広告主の業種を分類した情報であったり、使用者の気持ちまたは関心事に応じて広告及び広告コンテンツを分類した情報であったり、及び特定の色別に広告及び広告コンテンツを分類した情報であったりしてもよい。
【００６８】
例えば、複数のカテゴリリストは、「外食業、衣類業、製靴業、自動車業、通信業など」であるか、「ファッション美容、読書、旅行、就職、恋愛など」であるか、「憂鬱、喜び、絶望、悲しみ、幸福など」、または「赤、青、黄色、白など」で有り得る。
【００６９】
使用者が使用者端末１００に提供された複数のカテゴリリスト中の１つ以上のカテゴリを選択することができるが、このようなカテゴリ選択情報が第３受信部２７０に受信され、広告提供部２２０及び広告コンテンツ提供部２４０は受信されたカテゴリ選択情報に見合う広告及び広告コンテンツを使用者端末１００に提供することができる。
【００７０】
広告提供サーバー２００は広告主から広告及び広告コンテンツを受信するとき、どのようなカテゴリ選択情報によって広告主の広告及び広告コンテンツを提供するかを表す広告主設定情報を受信して、広告及び広告コンテンツなどと連関させて貯蔵し、第３受信部２７０でカテゴリ選択情報が受信されると、カテゴリ選択情報に応じた広告及び広告コンテンツを使用者端末１００に提供することができる。
【００７１】
もちろん、広告提供サーバー２００で直接貯蔵している広告及び広告コンテンツを複数のカテゴリ情報に従って分類し、分類されたカテゴリ情報とともに広告及び広告コンテンツを貯蔵することもできる。
【００７２】
このように、本発明の実施例によれば、第３受信部２７０が使用者端末１００からカテゴリ選択情報を受信して、カテゴリ選択情報に従って選別された広告及び広告コンテンツを使用者端末１００に提供することになるので、使用者の選り好みを反映した広告及び広告コンテンツを提供することができ、広告効果がさらに増大し得る。
【００７３】
以下、図３及び図４を参照して本発明の他の実施例に係る広告提供方法について詳察する。
【００７４】
図３は本発明の他の実施例に係る広告提供方法の流れを示したフローチャートであり、図４は本発明の他の実施例に係る広告提供方法により使用者端末に広告が提供される状態を示した例示図である。
【００７５】
広告提供サーバー２００は、使用者端末１００から活性化要請信号を受信する（Ｓ３１０）。活性化要請信号はディスプレイ部をオフ状態からオン状態に変更するように要請する信号であり、活性化要請信号が使用者端末１００に入力されると、使用者端末１００のディスプレイ部はオン状態に変更される。
【００７６】
図４に示した使用者端末のように、ディスプレイ部がオフ状態４１０にあるとき、使用者端末１００の活性化要請ボタン４０１を押すと活性化要請信号が使用者端末１００から広告提供サーバー２００に伝送されることができる。
【００７７】
活性化要請信号とともに、活性化要請信号が使用者端末１００に入力された時刻を示す時刻情報が広告提供サーバー２００で受信され得るが、受信された時刻情報によって後述する使用者端末１００に提供される広告及び広告コンテンツが変更され得る。
【００７８】
広告提供サーバー２００は、活性化要請信号を受信すると、使用者端末のディスプレイ部４２０に広告を提供する（Ｓ３２０）。図４に示された通り、活性化要請信号によって使用者端末のディスプレイ部４２０がオン状態に変更され、オン状態のディスプレイ部４２０に特定ブランドの広告が提供され得る。このとき、使用者端末１００に提供される広告は図４に示したように広告しようとするブランドのシンボルと簡単なコピーだけを含む簡単な形態の広告で有り得る。
【００７９】
広告の提供を受けている使用者端末１００から、広告コンテンツ要請信号が受信されると（Ｓ３３０）、広告提供サーバー２００が使用者端末１００に広告コンテンツ４３１を提供することができる（Ｓ３４０）。
【００８０】
広告コンテンツ４３１は、広告と関連した物品に対する詳細情報、広告するブランドのプロモーション情報、広告するブランドのウェブページ、広告する物品の購買のためのウェブページなどを含むことができ、広告と関連して生成された内容物であれば如何なるものにも制限されない。
【００８１】
このように、広告コンテンツ４３１は広告より詳しい内容の情報を含む内容物であったり、使用者端末１００に提供された広告を視聴した使用者が広告する物品またはブランドに対する関心度が増加したりして、より詳細な情報の提供または購買のような、より積極的なアクションを取ろうとする場合、使用者は広告コンテンツ要請信号を広告提供サーバー２００に伝送することができる。
【００８２】
広告コンテンツ要請信号は、使用者端末１００に提供される広告に対するクリック信号または使用者端末１００に対するロック解除要請信号で有り得る。
【００８３】
広告コンテンツ要請信号が広告に対するクリック信号の場合、使用者端末１００に提供される広告を視聴した使用者が広告コンテンツの提供に対する要請をしようとすれば、提供される広告の画面をクリックすることにより広告コンテンツ要請信号を広告提供サーバー２００に伝送することができる。
【００８４】
このとき、使用者が広告以外に広告コンテンツの提供を望まない場合には、使用者端末１００が遂行することを所望する機能に対する命令信号を使用者端末１００に入力すると、広告提供サーバー２００は広告の提供を中断し、使用者端末１００は使用者端末１００に入力された命令信号に相応する動作を遂行することができる。また、広告提供の中止を要請する信号を、広告の提供中に活性化要請信号を使用者端末１００に入力したり、ロック解除要請信号を入力したりする動作のように別途設定した場合、使用者端末１００は広告提供中に活性化要請信号またはロック解除要請信号を広告提供サーバー２００に伝送して広告提供の中止を要請することができる。
【００８５】
仮に、図４に示したように広告コンテンツ要請信号がロック解除要請信号の場合には、ロック解除要請信号が使用者端末１００に入力されることによって、使用者端末１００はロックが解除され、ロックが解除された使用者端末１００の待機画面４３０に広告コンテンツ４３１が提供され得る。
【００８６】
このような場合、広告コンテンツの提供を望まない使用者は広告をクリックしたり、活性化要請信号を再入力するなどの別途の動作により広告提供の中止などを広告提供サーバー２００に要請することができる。
【００８７】
このように、本発明によれば、使用者は無差別に広告の提供を受けるのではなく、本人の意志によって広告コンテンツの提供を望む場合にのみ選別的に広告コンテンツ要請信号を広告提供サーバー２００に伝送して、該当広告コンテンツの提供を受けることによって広告提供による使用者の疲労度が減少できる。
【００８８】
使用者端末１００に提供される広告及び広告コンテンツは使用者端末が予め広告提供サーバー２００に伝送したカテゴリ選択情報及び活性化要請信号が受信された時刻情報によって変更できる。
【００８９】
広告主が、特定時刻情報に対して、特定の時刻情報が受信されたときに使用者端末１００に提供される広告及び広告コンテンツを予め設定しておいた場合、広告提供サーバー２００は使用者端末１００から活性化要請信号が受信された時刻情報が、広告主が設定した時刻情報と一致するかどうかを確認し、一致する場合、該当時刻情報に相応する広告及び広告コンテンツを使用者端末１００に提供することができる。
【００９０】
例えば、広告主が「１０時０４分」を自分のブランドの広告ａ及び広告コンテンツｂが提供される時刻として設定しておいた場合、使用者端末１００から活性化要請信号を受信した時刻が「１０時０４分」であるとき、広告提供サーバー２００は使用者端末１００に広告ａを提供し、広告ａの提供を受けている使用者端末１００から広告コンテンツ要請信号を受信した場合、広告コンテンツｂを使用者端末１００に提供することができる。
【００９１】
また、使用者が広告及び広告コンテンツの提供を受けるためのアプリケーションを使用者端末１００に設置し、アップリケーションの実行のために使用者情報登録をしながら、広告提供サーバー２００で使用者端末１００に提供する複数のカテゴリリスト中の１つ以上のカテゴリを選択することができるが、このようなカテゴリ選択情報に従って使用者端末１００に提供される広告及び広告コンテンツの種類が決定され得る。
【００９２】
カテゴリ選択情報とは、複数のカテゴリリストに含まれたカテゴリのうち、１つ以上のカテゴリに対する選択情報を意味するもので、カテゴリ選択情報によるカテゴリに相応する広告及び広告コンテンツが使用者端末に提供され得る。
【００９３】
一実施例によれば、広告及び広告コンテンツは複数のカテゴリ別に分類され広告提供サーバー２００に貯蔵され得る。
【００９４】
複数のカテゴリリストは、広告及び広告コンテンツを提供する広告主の業種を分類したカテゴリ情報を含むことができ、使用者の感情状態または関心事によって広告及び広告コンテンツを分類した情報及び特定の色別に広告及び広告コンテンツを分類した情報を含むこともできる。
【００９５】
このように、広告及び広告コンテンツの提供を受ける使用者端末１００に対して広告提供サーバー２００はリワードを積み立てすることができる（Ｓ３５０）。活性化要請信号による第１リワード及び広告コンテンツ要請信号による第２リワードが積み立てされ得るが（Ｓ３５０）、もちろん、広告の提供だけを受ける使用者端末１００にも第１リワードが提供され得る。
【００９６】
積み立てされたリワードは、一定額以上になれば現金に変換され使用者の口座に入金されるか、広告提供サーバー２００が運営するオンラインショッピングモール、または提携先などで物品を購買するときまたは割引を受けるときに使用できる。
【００９７】
使用者がリワード中の一部を友人等に伝送して共有しようとする場合、使用者は使用者端末１００に含まれた連絡先情報のうち、自分がリワードを共有しようとする友人等の連絡先情報を選択して、選択した連絡先情報に該当する端末に一定額のリワードを伝送して共有することができる。
【００９８】
使用者が、友人の連絡先ではなく、広告提供サーバー２００で提供する後援社リスト中のいずれか１つを選択して共有要請をする場合、該当後援社に使用者が設定した額に相応するリワードが寄付されることもできる。
【００９９】
使用者がリワードを伝送して共有することができる友人の数は、基本的に制限されてもよく、基本として設定された数以上の友人等にリワードを伝送しようとする場合、使用者が広告提供サーバー２００で提供するリワード共有のためのチケットを購買しなければリワードの共有ができない。従って、使用者端末１００からリワードをプレゼントされた友人等はリワード共有に対してさらに有意義に思うことができ、これにより使用者と友人等との間の連帯感の形成に寄与し得る。
【０１００】
以上で説明された本発明に係る各実施例は、多様なコンピュータ構成要素により行えるプログラム命令語の形態で具現されコンピュータ読み取り可能な記録媒体に記録され得る。前記コンピュータ読み取り可能な記録媒体はプログラム命令語、データファイル、データ構造などを単独にまたは組み合わせて含むことができる。前記コンピュータ読み取り可能な記録媒体に記録されるプログラム命令語は、本発明のために特別に設計され構成されたものであったり、コンピュータソフトウェア分野の当業者に公知の使用可能なものであったりする。コンピュータ読み取り可能な記録媒体の例には、ハードディスク、フロッピー（登録商標）ディスク、及び磁気テープのような磁気媒体、ＣＤ−ＲＯＭ、ＤＶＤのような光記録媒体、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、及びＲＯＭ、ＲＡＭ、フラッシュメモリーなどのようなプログラム命令語を貯蔵し遂行するように特別に構成されたハードウェア装置が含まれる。プログラム命令語の例には、コンパイラによって作られるもののような機械語コードだけでなく、インタープリターなどを用いてコンピュータによって実行され得る高級言語コードも含まれる。前記ハードウェア装置は本発明に係る処理を遂行するために、１つ以上のソフトウェアモジュールとして作動するように構成されることもあり、その逆も同様である。
【０１０１】
以上、本発明を具体的な構成要素などのような特定事項と限定された実施例及び図面により説明したが、これは、本発明のより全般的な理解を助けるために提供されたものにすぎず、本発明は前記の各実施例に限定されるものではなく、本発明の属する技術分野において通常の知識を有するものであれば、このような記載から多様な修正及び変形を図ることができる。
【０１０２】
従って、本発明の思想は前記で説明された実施例に局限されて定められてはならず、後述する特許請求の範囲だけでなく、この特許請求の範囲と均等にまたは等価的に変形されたあらゆるものは本発明の思想の範疇に属すると理解されるべきである。
【符号の説明】
【０１０３】
１００：使用者端末
２００：広告提供サーバー
２１０：第１受信部
２２０：広告提供部
２３０：第２受信部
２４０：広告コンテンツ提供部
２５０：リワード提供部
【図１】
0006667587.tif 000002
【図２】
0006667587.tif 000003
【図３】
0006667587.tif 000004
【図４】
0006667587.tif 000005